(57)【要約】      （修正有）【課題】譜面台に立て置いた積層本型の楽譜の見開きページを確実に保持し、しかも容易にページをめくる事ができ、そのページのはね返りを押さえ、ひき続き開いた状態を保持することが可能となるページホルダーを提供する。【解決方法】ゴムマグネットシートｂ，ｃを積層本型の楽譜を必要ページ項の前方ページと後方ページに一枚ずつはさみ置き、必要ページ項の最初と最後のページ片と、めくるページ片のそれぞれに装着したクリップ部と、一方に磁性体あるいは磁性で貼着可能な素材部を一体化したクリップ体ｄをゴムマグネットに貼着し、見開きページを確実に保持する。また、ページ片に装着したクリップ体ｄを後方ページのゴムマグネットシートｃから前方ページのゴムマグネットシートｂにめくり送り、そのクリップ体ｄがゴムマグネットシートｂに貼着することでページの戻りやはね返りを押さえる。【選択図】図１
0003149918.tif 000002
【実用新案登録請求の範囲】
【請求項１】
クリップ部と一方に磁性体あるいは磁性で貼着可能な素材部を一体化したクリップ体と、そのクリップ体が貼着可能な磁性を有するゴムマグネットである下敷きとを別体で構成するページホルダー。
【請求項２】
ページに装着したクリップ体をめくり送り、そのクリップ体が、ゴムマグネットである下敷きに貼着することによって、クリップ体を装着したページのはね返りを押さえ開いた状態が保持されることを特徴とするページホルダー。
【考案の詳細な説明】
【技術分野】
【０００１】本考案は、譜面台に立て置いた積層（本）型の楽譜の見開きページの保持と容易にページをめくる事が可能なページホルダーに関するものである。
【背景技術】
【０００２】従来ストッパーと一体型の譜面台としては［特許文献１］、［特許文献２］、またページホルダーとしては［特許文献３］、［特許文献４］、マグネットの特性を併せ持ったページホルダーとしては［特許文献５］といくつか提案されている。
【特許文献１】  特開２００８−０８６３７９
【特許文献２】  特開２００８−１５２２４２
【特許文献３】  実用新案登録第３１４２８７８号
【特許文献４】  実用新案登録第３１３９１２９号
【特許文献５】  特開２００７−２７６４１９
【考案の開示】
【考案が解決しようとする課題】
【０００３】しかし、上記の発明、考案されたものは、いずれも携帯性や汎用性、ページめくりの容易性とページのはね返りを押さえることのすべてを兼ね備えたものではなかった。【０００４】本考案は、楽器演奏中の演奏者が、楽譜のページを極めて素早くめくることができ、そのページのはね返りを確実に押さえ、ひき続き開いた状態を保持し、演奏者の両手を演奏に集中できる状態にすることを課題とする。
【課題を解決するための手段】
【０００５】図１に示すように、必要ページ項の前方ページと後方ページにそれぞれはさみ置くゴムマグネットシート（ｂ）と（ｃ）、ページ片に装着するためのクリップ部と一方に磁性体あるいは磁性でゴムマグネットシート（ｂ）、（ｃ）に貼着可能な素材部を備えたクリップ体（ｄ）とを別体で構成するページホルダーである。
【考案の効果】
【０００６】クリップ体（ｄ）を必要ページ項の最初と最後のページ片と、めくるページ片にそれぞれ装着すると、ゴムマグネットシートに貼着し、見開きページが固定され、またゴムマグネットシートの自重で楽譜が押さえられる。【０００７】ページ片に装着したクリップ体（ｄ）を極めて素早く後方ゴムマグネットシート（ｃ）からめくり送っても前方ゴムマグネットシート（ｂ）に貼着し、ページのはね返りを押さえ、ひき続き開いた状態を保持することができる。
【考案を実施するための最良の形態】
【０００８】以下、本考案の最良の形態を図面に従い説明する。【０００９】図２で示すクリップ体（ｄ）はページ片に装着させるためのクリップ部（ｄ−１）と、一方に磁性体あるいは磁性で貼着可能な素材部（ｄ−２）を一体化したもので、できる限り軽量であることが望ましい。また素材部（ｄ−２）にデザインを施すことで目視認識性を向上させることが可能である。【００１０】図３で示すゴムマグネットシート（ｂ）は必要ページ項の前方ページにページ片よりクリップ体（ｄ）の磁性体あるいは磁性で貼着可能な素材部（ｄ−２）が貼着するに必要な幅を、はみ出してはさみ置くことが可能な大きさである。【００１１】図４で示すゴムマグネットシート（ｃ）は必要ページ項の後方ページにはさみ置くもので、クリップ体（ｄ）の磁性体あるいは磁性で貼着可能な素材部（ｄ−２）が、ゴムマグネットシート（ｃ）に貼着しかつ、クリップ体の一部（ｄ−２）がめくるときの引掛かりのためにはみ出している状態を保てる大きさであればよい。【００１２】ここでのゴムマグネットシートとは一方の面をゴムマグネット、もう一方の面をポリ塩化ビニール等の材質とする片面多極着磁で、ゴムマグネットシート（ｂ）はゴムマグネット側をオモテ面にしてはさみ置き、クリップ体（ｄ）がしっかり貼着できるようにし、ゴムマグネットシート（ｃ）は、ポリ塩化ビニール等の材質側をオモテ面としてはさみ置き、素早くクリップ体（ｄ）をゴムマグネットシート（ｃ）から取れるようクリップ体との貼着性を弱い状態にすることが望ましい。
【実施例】
【００１３】クリップ体（ｄ）を必要ページ項の最初と最後のページ片と、めくるページ片のそれぞれに装着する。それぞれのクリップ体同士が貼着しないように注意する。【００１４】ゴムマグネットシート（ｂ）を必要ページ項の前方ページに、ページ片よりクリップ体（ｄ）の磁性体あるいは磁性で貼着可能な素材部（ｄ−２）が貼着するに必要な幅をはみ出してはさみ置き、必要ページ項の最初のページに装着されたクリップ体（ｄ）をゴムマグネットシート（ｂ）に貼着する。【００１５】必要ページ項の最後のページ片とめくるページ片のそれぞれに装着したクリップ体（ｄ）の磁性体あるいは磁性で貼着可能な素材部（ｄ−２）がはみ出すようにゴムマグネットシート（ｃ）を後方ページにはさみ置き、めくるページと最後のページに装着されたクリップ体をゴムマグネットシート（ｃ）に貼着する。この時の状態は図４で示すように、クリップ体（ｄ）の素材部（ｄ−２）がゴムマグネットシート（ｃ）に貼着しかつ、クリップ体の一部（ｄ−２）がめくるときの引掛かりのためにゴムマグネットシート（ｃ）からはみ出している。【００１６】ページをめくるときはゴムマグネットシート（ｃ）に貼着したクリップ体（ｄ）の素材部（ｄ−２）を指で引掛けて素早くめくり送り、ゴムマグネットシート（ｂ）に貼着させることにより、ページの戻りやはね返りを確実に押さえ、開いた状態を保持することが可能となる。
【図面の簡単な説明】
【００１７】
【図１】本考案ページホルダーの使用状態説明図。
【図２】本考案のクリップ体（ｄ）の拡大図。
【図３】必要ページ項の前方ページにはさみ置いたゴムマグネットシート（ｂ）とクリップ体（ｄ）の使用状態説明図。
【図４】必要ページ項の後方ページにはさみ置いたゴムマグネットシート（ｃ）とクリップ体（ｄ）の使用状態説明図。
【符号の説明】
【００１８】  ａ：楽譜（ページ）
ｂ：ゴムマグネットシート
ｃ：ゴムマグネットシート
ｄ：クリップ体
ｄ−１：クリップ部
ｄ−２：磁性体あるいは磁性で貼着可能な素材部
【図１】
0003149918.tif 000003
【図２】
0003149918.tif 000004
【図３】
0003149918.tif 000005
【図４】
0003149918.tif 000006
【手続補正書】
【提出日】平成21年1月22日(2009.1.22)
【手続補正１】
【補正対象書類名】実用新案登録請求の範囲
【補正対象項目名】全文
【補正方法】変更
【補正の内容】
【実用新案登録請求の範囲】
【請求項１】
クリップ部と一方に磁性体あるいは磁性で貼着可能な素材部を一体化したクリップ体と、そのクリップ体が貼着可能な磁性を有するゴムマグネットである下敷きとを別体で構成するページホルダー。
【請求項２】
ページに装着したクリップ体をめくり送り、そのクリップ体が、ゴムマグネットである下敷きに貼着することによって、クリップ体を装着したページのはね返りを押さえ開いた状態が保持されることを特徴とする請求項１に記載のページホルダー。